(57)【特許請求の範囲】
【請求項１】
空気調和機内で並行流を形成する収着用空気経路と再生用空気経路との間に介在し、軸心廻りの回転によって通気路が収着用空気経路に連通する収着状態と通気路が再生用空気経路に連通する再生状態とに変転する複数のデシカントブロックと、
少なくとも１つのデシカントブロックからなる第１デシカント部と少なくとも１つのデシカントブロックからなる第２デシカント部とを相反する方向に回転させ、第１デシカント部が収着状態にあるときに、第２デシカント部を再生状態となし、第１デシカント部が再生状態にあるときに、第２デシカント部を収着状態となす回転操作部を備え、
第１デシカント部および第２デシカント部は、軸心廻りの一側方向への正回転操作により収着状態の通気路の空気流入口をなす上流側開口が再生状態の通気路の空気排出口をなす下流側開口となり、軸心廻りの他側方向への逆回転操作により再生状態の通気路の空気流入口をなす上流側開口が収着状態の通気路の空気排出口をなす下流側開口となることを特徴とするデシカント調湿装置。
【請求項２】
回転操作部は、第１デシカント部と第２デシカント部を相反する方向に回転させる動力伝達機構部および１つのモータからなることを特徴とする請求項１に記載のデシカント調湿装置。
【請求項３】
回転操作部は、第１デシカント部と第２デシカント部を相反する方向に回転させる動力伝達機構部をなすリンク機構部と、空気調和機内の不動部材に固定した１つのモータからなり、リンク機構部は、モータの軸心廻りに正逆回転するＡリンクと、Ａリンクの一端と第１デシカント部とを連結するＢリンクと、Ａリンクの他端と第２デシカント部とを連結するＣリンクからなることを特徴とする請求項１に記載のデシカント調湿装置。
【発明の詳細な説明】
【技術分野】
【０００１】
本発明は、デシカント調湿装置に関し、デシカントブロックを効率的に使用する技術に係るものである。
【背景技術】
【０００２】
この種の技術では、デシカントブロックや全熱交換器がビルや住宅等における還気と外気の換気に使用されており、全熱交換器は換気によって失われる空調エネルギーの全熱である顕熱（温度）と潜熱（湿度）を還気と外気との間で交換回収し、デシカントブロックは外気の潜熱（湿度）を処理する。
【０００３】
例えば、特許文献１においては、第１流路と第２流路とが平面的にほぼ９０度の方向角度差を持つとともに、第１流路、第２流路と直交する軸芯回りに回転可能に支持された水分吸脱装置を配置し、水分吸脱装置を軸芯回りに回転させることにより、第１流路を給気流路とし、第２流路を排気流路とする状態と、第２流路を給気流路とし、第１流路を排気流路とする状態とを交互に切り換え可能としている。
【０００４】
また、特許文献２においては、給気と排気を同時に行い、温湿度条件により空気中の水分を吸着または空気中へ水分を放出する除加湿素子と、除加湿素子へ送風する送風手段と、除加湿素子を再生するための加熱手段とを備え、除加湿素子の処理と再生を繰り返すことで連続的に空気中の水分を吸着または空気中へ水分を放出するものである。
【０００５】
さらに、特許文献３においては、吸着空気の通過により水分を吸着する一方で再生空気の通過により水分を脱着する調湿側通路と、調湿側通路における吸着時の吸着熱を吸収するように冷却空気が通過する冷却側通路とを有する吸着素子を備え、吸着素子の調湿側通路で空気を調湿して室内へ供給し、冷却空気として室内空気を利用するものである。
【先行技術文献】
【特許文献】
【０００６】
【特許文献１】特許４３９３４７８
【特許文献２】特許３８６０３７４
【特許文献３】特許３６８０１４９
【発明の概要】
【発明が解決しようとする課題】
【０００７】
上記した従来のようなデシカントブロックを搭載する機器では、複数のデシカントブロックを除湿側と再生側とに切り替えて使用しており、一方のデシカントブロックで除湿している場合に他方のデシカントブロックを再生し、次に双方のデシカントブロックを一体的に同一方向へ回転させることで、除湿側の一方のデシカントブロックを再生側に変転させ、再生側の他方のデシカントブロックを除湿側に変転させて連続的に除湿処理を行う。
【０００８】
この二つのデシカントブロックを一体的に同一方向へ回転させる場合には、一方のデシカントブロックが再生側から除湿側に変転して、再生側で気流の上流側に位置する部位が除湿側において気流の下流側に位置すると、他方のデシカントブロックが除湿側から再生側に変転して、除湿側で気流の上流側に位置する部位が再生側で同じく気流の上流側に位置することになる。
【０００９】
このため、除湿側と再生側とにおいてデシカントブロックを流れる気流の方向が同一方向となる状態が存在し、この状態では収着対象空気と再生用空気が向流で流れず、デシカントブロックの再生が十分に行われず、結果として収着効率が低下する問題があった。
【００１０】
本発明は上記した課題を解決するものであり、デシカントブロックの再生効率および収着効率を高めることができるデシカント調湿装置を提供することを目的とする。
【課題を解決するための手段】
【００１１】
上記課題を解決するために、本発明のデシカント調湿装置は、空気調和機内で並行流を形成する収着用空気経路と再生用空気経路との間に介在し、軸心廻りの回転によって通気路が収着用空気経路に連通する収着状態と通気路が再生用空気経路に連通する再生状態とに変転する複数のデシカントブロックと、少なくとも１つのデシカントブロックからなる第１デシカント部と少なくとも１つのデシカントブロックからなる第２デシカント部とを相反する方向に回転させ、第１デシカント部が収着状態にあるときに、第２デシカント部を再生状態となし、第１デシカント部が再生状態にあるときに、第２デシカント部を収着状態となす回転操作部を備え、第１デシカント部および第２デシカント部は、軸心廻りの一側方向への正回転操作により収着状態の通気路の空気流入口をなす上流側開口が再生状態の通気路の空気排出口をなす下流側開口となり、軸心廻りの他側方向への逆回転操作により再生状態の通気路の空気流入口をなす上流側開口が収着状態の通気路の空気排出口をなす下流側開口となることを特徴とする。
【００１２】
本発明のデシカント調湿装置において、回転操作部は、第１デシカント部と第２デシカント部を相反する方向に回転させる動力伝達機構部および１つのモータからなることを特徴とする。
【００１３】
本発明のデシカント調湿装置において、回転操作部は、第１デシカント部と第２デシカント部を相反する方向に回転させる動力伝達機構部をなすリンク機構部と、空気調和機内の不動部材に固定した１つのモータからなり、リンク機構部は、モータの軸心廻りに正逆回転するＡリンクと、Ａリンクの一端と第１デシカント部とを連結するＢリンクと、Ａリンクの他端と第２デシカント部とを連結するＣリンクからなることを特徴とする。
【発明の効果】
【００１４】
以上のように本発明によれば、第１デシカント部および第２デシカント部は、収着対象空気がデシカントブロックの通気路を通過することで、通気路の上流側の吸湿度が下流側の吸湿度に比べて高くなる。
【００１５】
そして、第１デシカント部と第２デシカント部が相反する方向に回転して、デシカントブロックの通気路の両側の開口が上流側と下流側に入れ替わり、収着状態の収着時に吸湿度が高かった上流側の部位が再生状態の再生時には下流側に反転し、収着状態の収着時に吸湿度の低かった下流側の部位が再生状態の再生時には上流側へ反転し、通気路を流れる収着対象空気と再生用空気がその流れ方向を反転させて向流で流れる。
【００１６】
このため、再生時において再生用空気、つまり夏季には還気、冬季には外気が通気路を収着対象空気に対して向流方向に流れるので、再生用空気は、湿度がまだ低くて湿気の吸収能力が高い状態で、通気路の吸湿度が低い上流側の部位を流れ、その後、通気路の湿度が高い下流側へ流れて行くにつれて湿度が高まる。
【００１７】
よって、デシカントブロックの通気路に収着対象空気と再生用空気が向流で流れることで、デシカントブロックの湿度の脱離が促進されて再生効率が高まり、結果として収着容量が高まる。
【００１８】
また、第１デシカント部および第２デシカント部は、再生時に再生用空気がデシカントブロックの通気路を通過することで、通気路の上流側の部位が下流側の部位に比べて湿度の脱着が進んで除湿限界が高まった収着能力の高い部位となる。
【００１９】
そして、第１デシカント部と第２デシカント部が相反する方向に回転して、デシカントブロックの通気路の両側の開口が上流側と下流側に入れ替わり、再生状態で除湿限界が高かった上流側の部位が収着状態で下流側に反転し、再生状態で除湿限界の低かった下流側の部位が収着状態で上流側へ反転し、通気路を流れる収着対象空気と再生用空気がその流れ方向を反転させて向流で流れる。
【００２０】
このため、除湿処理においてデシカントブロックの通気路を流れる間に除湿の進んだ収着対象空気は、通気路の下流側において除湿限界の高い部位を流れ、その高い収着能力によってさらに除湿度が高められる。
【００２１】
よって、第１デシカント部と第２デシカント部が相反する方向に回転して、デシカントブロックの通気路の両側の開口が上流側と下流側に入れ替わることで、再生時における再生効率の向上と除湿時における収着容量の向上を図るとともに、収着対象空気の除湿度を高めることができる。
【図面の簡単な説明】
【００２２】
【図１】本発明の実施の形態におけるデシカント空気調和機の構成を示す斜視図
【図２】同実施の形態におけるデシカント空気調和機のデシカント部を示す正面図
【図３】図２のＡ−Ａ矢視断面図
【図４】同実施の形態におけるデシカント部の回転操作を示す図
【図５】同実施の形態におけるデシカント部の回転操作を示す図
【図６】同実施の形態におけるデシカント空気調和機の構成を示す模式図
【図７】同実施の形態におけるデシカント部の除湿（処理）と再生の状態を示す斜視図
【図８】同実施の形態における全熱交換器を示す斜視図
【図９】同実施の形態における第１デシカント部の再生状態および第２デシカント部の収着状態を示す斜視図
【図１０】同実施の形態における第１デシカント部の収着状態および第２デシカント部の再生状態を示す斜視図
【図１１】図１のＺ方向から視た空気の流れを示す模式図
【図１２】図１のＹ方向から見た空気の流れを示す模式図
【図１３】本発明の他の実施の形態における回転操作部を示す模式図
【図１４】本発明のさらに他の実施の形態における回転操作部を示す斜視図
【図１５】本発明のさらに他の実施の形態における回転操作部を示す斜視図
【発明を実施するための形態】
【００２３】
以下、本発明の実施の形態を図面に基づいて説明する。本実施の形態ではデシカント調湿装置としてデシカント空気調和機を説明する。
図１から図６において、デシカント空気調和機は、ケーシング１に、外気ＯＡを取り込む外気口２、室内へ外気ＯＡを給気ＳＡとして供給する給気口３、還気ＲＡを取り込む還気口４、還気ＲＡを排気ＥＡとして排出する排気口５とを有しており、ここでは外気口２から給気口３までの通気路を外気経路６とし、還気口４から排気口５までの通気路を還気経路７として説明する。
【００２４】
外気経路６は、夏季に収着用空気経路となり、冬季に再生用空気経路（加湿対象）となる。還気経路７は、夏季に再生用空気経路となり、冬季に収着用空気経路となる。
ケーシング１の内部は、横閉鎖板８で上下に分離され、第１縦閉鎖板９および第２縦閉鎖板１０でそれぞれ上流側と下流側に分離されている。
【００２５】
横閉鎖板８より上方で第１縦閉鎖板９より上流側を第１室１１、横閉鎖板８より下方で第１縦閉鎖板９より上流側を第２室１２、横閉鎖板８より上方で第１縦閉鎖板９と第２縦閉鎖板１０の間を第３室１３、横閉鎖板８より下方で第１縦閉鎖板９と第２縦閉鎖板１０の間を第４室１４、横閉鎖板８より上方で第２縦閉鎖板１０より下流側を第５室１５、横閉鎖板８より下方で第２縦閉鎖板１０より下流側を第６室１６とする。
【００２６】
外気経路６は、第１室１１、第４室１４、第５室１５からなり、還気経路７は、第２室１２、第３室１３、第６室１６からなる。外気経路６と還気経路７の途中には双方に連通するデシカントブロック装置１７と全熱交換器１８を設けている。
【００２７】
さらに、外気経路６には、第１室１１にプレフィルター６１および中性能フィルター６２を配置し、第４室１４に第１冷温水コイル１９および第１冷温水コイル用電磁弁１９ａを配置し、第５室１５に給気ファン２０およびその下流に第２冷温水コイル２１および第２冷温水コイル用電磁弁２１ａと加湿器２１ｂを配置しており、還気経路７には、第２室１２にプレフィルター７１を配置し、第３室１３に温水コイル２２および温水コイル用電磁弁２２ａを配置し、第６室１６に排気ファン２３を配置している。第１冷温水コイル１９、温水コイル２２の隔壁によって第３室１３および第４室１４はそれぞれ前室１３ａ、１４ａおよび後室１３ｂ、１４ｂに分かれている。この第１冷温水コイル１９、第２冷温水コイル２１、温水コイル２２の数量や位置に制限はない。
【００２８】
第１室１１と第４室１４の間に外気経路６のバイパス路６ａおよびダンパ装置６ｂを設けており、中間期はダンパ操作により外気が全熱交換器１８を迂回して流れる。
デシカントブロック装置１７は第３室１３と第４室１４と第５室１５と第６室１６との間に介在し、デシカントブロック装置１７より上流側に位置する全熱交換器１８は第１室１１と第２室１２と第３室１３と第４室１４との間に介在しており、全熱交換器１８の上流側に第１室１１と第２室１２が接続し、全熱交換器１８の下流側に第３室１３と第４室１４が接続し、デシカントブロック装置１７の上流側に第３室１３と第４室１４が接続し、デシカントブロック装置１７の下流側に第５室１５と第６室１６が接続している。
【００２９】
図８に示すように、全熱交換器１８は、外気経路６に連通する複数の流路１８ａからなる第１流路群１８１と、還気経路７に連通する複数の流路１８ｂからなる第２流路群１８２を有しており、第１流路群１８１の流路１８ａと第２流路群１８２の流路１８ｂとを交互に積み重ね、かつ双方の流路１８ａ、１８ｂを直交流状に配置した静止型全熱交換器であり、外気ＯＡはデシカントブロック装置１７を未通過の還気ＲＡと全熱交換器１８において全熱交換する。
【００３０】
図２に示すように、デシカントブロック装置１７は、外気経路６と還気経路７の流路方向と直交する方向の軸心廻りに回転自在に設けた第１デシカント部１７ａと第２デシカント部１７ｂからなり、各デシカント部１７ａ、１７ｂは、それぞれに複数の通気路１７１ａ、１７１ｂを有するデシカントブロック１７２ａ、１７２ｂおよびデシカントブロック１７２ａ、１７２ｂを収納保持する円筒状のフレーム１７３ａ、１７３ｂを備えている。本実施の形態では、二つのデシカント部１７ａ、１７ｂを開示して説明するが、デシカント部１７ａ、１７ｂには数量的な制限はなく、各デシカント部１７ａ、１７ｂに配置するデシカントブロック１７２ａ、１７２ｂにも数量的な制限はない。
【００３１】
図９、１０に示すように、本実施の形態において、デシカントブロック１７２ａ、１７２ｂは断面正四角形の柱体状をなし、頂角部が円筒状のフレーム１７３ａ、１７３ｂの内面に気密に摺接しており、軸心と平行な４面のうちの１組の対向面Ａ、Ｂのうちの一方が空気流入面をなし、他方が空気流出面をなし、他の１組の対向面Ｃ、Ｄが閉鎖面をなす。デシカント部１７ａ、１７ｂには形状的な制限はなく、種々の形状を採用できる。
【００３２】
通気路１７１ａ、１７１ｂは空気流入面と空気流出面との間に形成されており、空気流入面における開口が空気流入口となり、空気流出面における開口が空気流出口となり、一方の第１デシカント部１７ａの通気路１７１ａと他方の第２デシカント部１７ｂの通気路１７１ｂは直交する方向に形成されている。
【００３３】
双方のデシカント部１７ａ、１７ｂは、軸心廻りの相反する方向に回転させる回転操作によって通気路１７１ａ、１７１ｂが収着用空気経路、つまり夏季には外気経路６、冬季には還気経路７に連通する収着状態と、通気路１７１ａ、１７１ｂが再生空気用経路、つまり夏季には還気経路７、冬季には外気経路６に連通する再生状態とに変転し、軸心廻りの一側方向Ｐへの正回転操作により収着状態の通気路の空気流入口をなす上流側開口が再生状態の通気路の空気排出口をなす下流側開口となり、軸心廻りの他側方向Ｎへの逆回転操作により再生状態の通気路の空気流入口をなす上流側開口が収着状態の通気路の空気排出口をなす下流側開口となる。
【００３４】
例えば、夏季において、一方の第１デシカント部１７ａは、収着状態にあるときに、外気経路６の上流側に向く面が空気流入面となり、外気経路６の下流側に向く面が空気流出面となり、閉鎖面が還気経路７に対向する。
【００３５】
そして、他方の第２デシカント部１７ｂが再生状態となって、還気経路７の上流側に向く面が空気流入面となり、還気経路７の下流側に向く面が空気流出面となり、閉鎖面が外気経路６に対向する。
【００３６】
図２から図５に示すように、双方のデシカント部１７ａ、１７ｂの間には回転操作部１００を介装しており、回転操作部１００は双方のデシカント部１７ａ、１７ｂを相反する方向に回転させ、一方の第１デシカント部１７ａが収着状態にあるときに、他方の第２デシカント部１７ｂを再生状態となし、一方の第１デシカント部１７ａが再生状態にあるときに、他方の第２デシカント部１７ｂを収着状態とするものである。
【００３７】
回転操作部１００は、一方の第１デシカント部１７ａと他方の第２デシカント部１７ｂを相反する方向に回転させる動力伝達機構部としてのリンク機構部１０１と、ケーシング１の不動構成部材である横閉鎖板８に固定した１つのモータ１０２からなる。リンク機構部１０１は、モータ１０２の軸心廻りに正逆回転するＡリンク１０３と、Ａリンク１０３の一端と一方の第１デシカント部１７ａとを連結するＢリンク１０４と、Ａリンク１０３の他端と他方の第２デシカント部１７ｂとを連結するＣリンク１０５からなる。
【００３８】
図４および図７（ａ）、（ｂ）、（ｃ）に示すように、モータ１０２が軸心廻りの他側方向Ｎへ逆回転してＡリンク１０３を逆回転操作すると、Ａリンク１０３の回転によりＢリンク１０４を介して第１デシカント部１７ａが一側方向Ｐへ正回転するとともに、Ｃリンク１０５を介して第２デシカント部１７ｂが他側方向Ｎへ逆回転する。
【００３９】
図５および図７（ｄ）、（ｅ）、（ｆ）に示すように、モータ１０２が軸心廻りの一側方向Ｐへ正回転してＡリンク１０３を正回転操作すると、Ａリンク１０３の回転によりＢリンク１０４を介して第１デシカント部１７ａが他側方向Ｎへ逆回転するとともに、Ｃリンク１０５を介して第２デシカント部１７ｂが一側方向Ｐへ正回転する。
【００４０】
このように、一つのモータ１０２で駆動することにより消費エネルギーを削減でき、メンテナンスが容易である。さらに、双方のデシカント部１７ａ、１７ｂの間に回転操作部１００を介装し、回転操作部１００が簡素なリンク機構部１０１と１つのモータ１０２とからなることで、コンパクト化と軽量化を実現して機器の省スペース化や装置の低コスト化に貢献できる。双方のデシカント部１７ａ、１７ｂの回転軸の方向は水平方向にも、垂直方向にも配置することができ、回転方向、回転角度は限定されない。
【００４１】
動力伝達機構部は、上述したものに限らず、図１３（ａ）、（ｂ）に示すように、プーリー２０１、２０２、２０３とベルト２０４、２０５の組み合わせ、もしくはスプロケットとチェーンの組み合わせでも構成できる。モータに接続したプーリー２０１と第１デシカント部１７ａに接続したプーリー２０２を順回転方向にベルト２０４で連結し、モータに接続したプーリー２０１と第２デシカント部１７ｂに接続したプーリー２０３を逆回転方向にベルト２０５で連結する。プーリー２０１の回転により第１デシカント部１７ａと第２デシカント部１７ｂが相反する方向に回転する。
【００４２】
また、図１４に示すように、複数の歯車３０１、３０２、３０３、３０４、３０５の組み合わせでも構成できる。モータ３０６の駆動軸３０６ａに接続した歯車３０１と第１デシカント部１７ａに接続した歯車３０２を接続し、モータ３０６に接続した歯車３０３と第２デシカント部１７ｂに接続した歯車３０４とを歯車３０５を介して接続する。モータ３０６、歯車３０１、３０３の回転により第１デシカント部１７ａと第２デシカント部１７ｂが相反する方向に回転する。
【００４３】
さらに、図１５に示すようにモータに接続した歯車４０１に、第１デシカント部１７ａに接続した歯車４０２と第２デシカント部１７ｂに接続した歯車４０３とをともに接続する。
【００４４】
以下、上記した構成における作用について説明する。
夏季モード
夏季モードでは、外気ＯＡが収着対象空気で外気経路６が収着用空気経路となり、還気ＲＡが再生用空気で還気経路７が再生用空気経路となる。
【００４５】
このために、図９および図１１（ａ）に示すように、回転操作部１００を操作してモータ１０２およびリンク機構部１０１により一方の第１デシカント部１７ａを逆回転操作すると第１デシカント部１７ａが外気経路６に接続する収着状態となるとともに、図９および図１２（ａ）に示すように、他方の第２デシカント部１７ｂが相反する方向に正回転操作されて還気経路７に接続する再生状態となる。
【００４６】
この状態で、全熱交換器１８には、外気経路６に連通する第１流路群１８１の複数の流路１８ａに外気ＯＡが流入し、還気経路７に連通する第２流路群１８２の複数の流路１８ｂに還気ＲＡが流入し、外気ＯＡと還気ＲＡが全熱交換器１８において全熱交換する。
【００４７】
全熱交換器１８を通過した外気ＯＡは、夏季に冷水コイルとなる第１冷温水コイル１９で予冷されて後に、図１１（ａ）に示すように、一方の第１デシカント部１７ａに流入して吸着もしくは収着により除湿される。その後、外気ＯＡは給気ファン２０を通って、夏季に冷却コイルとなる第２冷温水コイル２１で設定温度に調整されて給気される。
【００４８】
一方、全熱交換器１８を通過した還気ＲＡは、温水コイル２２で予熱されて後に、図１２（ａ）に示すように、他方の第２デシカント部１７ｂに流入し、吸収により湿気を脱離させてデシカント部１７ｂを再生し、排気ファン２３により排気される。
【００４９】
所定時間の経過後、あるいは適当時に、図１０、図１１（ｃ）、図１２（ｃ）に示すように、デシカントブロック装置１７の双方のデシカント部１７ａ、１７ｂを回転操作部１００により相反する方向に回転させ、一方の第１デシカント部１７ａを収着状態から再生状態へ正回転させ、他方の第２デシカント部１７ｂを再生状態から収着状態へ逆回転させる。
【００５０】
除湿に使用した一方の第１デシカント部１７ａが収着状態から再生状態へ正回転するのに際し、図１１（ａ）に示すように、収着状態で外気経路６に接続した通気路１７１ａの空気流入口をなす上流側開口（Ｂ）が、図１１（ｃ）に示すように、還気経路７に接続する再生状態で通気路１７１ａの空気流出口をなす下流側開口（Ｂ）となる。
【００５１】
また、再生した他方の第２デシカント部１７ｂが再生状態から収着状態へ変転するのに際し、図１２（ａ）に示すように、再生状態で還気経路７に接続した通気路１７１ｂの空気流入口をなす上流側開口（Ａ）が、図１２（ｃ）に示すように、外径経路６に接続する収着状態で通気路１７１ｂの空気流出口をなす下流側開口（Ａ）となる。
【００５２】
このように、デシカントブロック装置１７の双方のデシカント部１７ａ、１７ｂが、軸心廻りに相反する方向に回転して通気路１７１ａ、１７１ｂの上流側の開口が下流側へ変転し、通気路１７１ａ、１７１ｂが収着用空気経路の外気経路６と再生用空気経路の還気経路７に対してそれぞれ異なる側の開口で連通する。
【００５３】
この状態で、図１１（ｃ）に示すように、再生用空気の還気ＲＡが通気路１７１ａを上流側開口（Ａ）から下流側開口（Ｂ）に向けて、収着対象空気である外気ＯＡの流れに対して向流方向に流れるので、再生用空気は、湿度がまだ低くて湿気の吸収能力が高い状態で、通気路１７１ａの吸湿度が低い上流側の部位を流れ、その後、通気路１７１ａの吸湿度が高い下流側へ流れて行くのにつれて湿度が高まり、通気路１７１ａが再生される。よって、第１デシカント部１７ａは軸心廻りの回転により通気路１７１ａに外気ＯＡと還気ＲＡが向流状に流れることで、第１デシカント部１７ａの再生効率が高まる。
【００５４】
そして、第１デシカント部１７ａと第２デシカント部１７ｂが相反する方向に回転して、デシカントブロック１７２ａ、１７２ｂの通気路１７１ａ、１７１ｂの両側の開口が上流側と下流側に入れ替わり、第１デシカント部１７ａの再生状態で除湿限界が高かった上流側の部位が収着状態で下流側に反転し、再生状態で除湿限界の低かった下流側の部位が収着状態で上流側へ反転し、通気路１７１ａを流れる収着対象空気と再生用空気がその流れ方向を反転させて向流で流れる。
【００５５】
このため、除湿処理においてデシカントブロック１７２ａの通気路１７１ａを流れる間に除湿の進んだ収着対象空気は、通気路１７１ａの下流側において除湿限界の高い部位を流れ、その高い収着能力によってさらに除湿度が高められる。
【００５６】
さらに、双方のデシカント部１７ａ、１７ｂの空気流入面が空気流出面に切り替わるので、空気流入面に付着した埃や異物が、回転操作の都度に排気側へ排出され、通気抵抗の増加を抑制でき、給気ファン２０および排気ファン２３の動力を抑制できる。
冬季モード
冬季には、還気ＲＡが収着対象空気で還気経路７が収着用空気経路となり、外気ＯＡが再生用空気で外気経路６が再生用空気経路（加湿対象）となり、上述した操作と同様の操作において、還気ＲＡから除湿した湿気を外気ＯＡに与えて加湿し、調整後の外気ＯＡを給気する。
【００５７】
この場合にも、デシカントブロック装置１７の双方のデシカント部１７ａ、１７ｂが、軸心廻りに相反する方向に回転して通気路１７１ａ、１７１ｂの上流側の開口が下流側へ変転し、通気路１７１ａ、１７１ｂが収着用空気経路の還気経路７と再生用空気経路の外気経路６に対してそれぞれ異なる側の開口で連通する。このため、第１デシカント部１７ａの通気路１７１ａは、還気ＲＡが流れる間に吸湿度の高くなった部位が上流側から下流側に変転し、吸湿度の低い部位が下流側から上流側へ変転する。
【００５８】
そして、再生用空気の外気ＯＡは、通気路１７１ａを収着対象空気であるの還気ＲＡの流れに対して向流方向に流れ、湿度がまだ低くて湿気の吸収能力が高い状態で、通気路１７１ａの吸湿度が低い上流側の部位を流れ、その後、通気路１７１ａの吸湿度が高い下流側へ流れて行くのにつれて湿度が高まり、通気路１７１ａが再生される。よって、デシカント部１７ａは軸心廻りの回転により通気路１７１ａに外気ＯＡと還気ＲＡが向流状に流れることで、デシカント部１７ａの再生効率が高まり、冬季における外気ＯＡの加湿効率が高まる。
【符号の説明】
【００５９】
１    ケーシング
２    外気口
３    給気口
４    還気口
５    排気口
６    外気経路
６ａ  バイパス路
６ｂ  ダンパ装置
７    還気経路
８    横閉鎖板
９    第１縦閉鎖板
１０    第２縦閉鎖板
１１    第１室
１２    第２室
１３    第３室
１３ａ  前室
１３ｂ  後室
１４    第４室
１４ａ  前室
１４ｂ  後室
１５    第５室
１６    第６室
１７    デシカントブロック装置
１７ａ  第１デシカント部
１７ｂ  第２デシカント部
１８    全熱交換器
１８ａ、１８ｂ  流路
１９    第１冷温水コイル
１９ａ  第１冷温水コイル用電磁弁
２０    給気ファン
２１    第２冷温水コイル
２１ａ  第２冷温水コイル用電磁弁
２２    温水コイル
２２ａ  温水コイル用電磁弁
２３    排気ファン
６１    プレフィルター
６２    フィルター
７１    プレフィルター
１００    回転操作部
１０１    リンク機構部
１０２    モータ
１０３    Ａリンク
１０４    Ｂリンク
１０５    Ｃリンク
１７１ａ、１７１ｂ  通気路
１７２ａ、１７２ｂ  デシカントブロック
１７３ａ、１７３ｂ  フレーム
１８１    第１流路群
１８２    第２流路群
２０１、２０２、２０３  プーリー
２０４、２０５  ベルト
３０１、３０２、３０３、３０４、３０５  歯車
３０６  モータ
３０６ａ  駆動軸
４０１    歯車
４０２、４０３  歯車
ＯＡ    外気
ＲＡ    還気
ＳＡ    給気
ＥＡ    排気
【図１】
0006559055.tif 000002
【図２】
0006559055.tif 000003
【図３】
0006559055.tif 000004
【図４】
0006559055.tif 000005
【図５】
0006559055.tif 000006
【図６】
0006559055.tif 000007
【図７】
0006559055.tif 000008
【図８】
0006559055.tif 000009
【図９】
0006559055.tif 000010
【図１０】
0006559055.tif 000011
【図１１】
0006559055.tif 000012
【図１２】
0006559055.tif 000013
【図１３】
0006559055.tif 000014
【図１４】
0006559055.tif 000015
【図１５】
0006559055.tif 000016